(57)【要約】【課題】従来の液晶ディスプレイの放熱不良を解決するため、バックライトユニットに設けられて光源が発生する熱を隔離する真空層がある液晶ディスプレイを提供する。【解決手段】液晶ディスプレイ５０はバックライトユニット５２と液晶表示パネル５４とを具える。バックライトユニット５２は光源の上方に設けられる光学膜５８を具え、光学膜５８は少なくとも一つの真空層６６を具える。液晶表示パネル５４は光学膜５８の上方に設けられて複数のピクセルユニットを有する。真空層６６は光源が発生する熱を隔離する【選択図】  図２
2004252397.tif 000002
【特許請求の範囲】
【請求項１】
液晶ディスプレイであって、該液晶ディスプレイは、
光源の上方に設けられて少なくとも一つの真空層を具える光学膜を有するバックライトユニットと、
光学膜の上方に設けられて複数のピクセルユニットを具える液晶表示パネルとを含み、そのうち真空層は光源が発生する熱を隔離することを特徴とする液晶ディスプレイ。
【請求項２】
前記真空層は透明材質により構成される上パネルと下パネルとを具え、該上パネルと下パネルとの間は真空状態であることを特徴とする請求項１記載の液晶ディスプレイ。
【請求項３】
前記光学膜は少なくとも一つの拡散膜と、少なくとも一つのプリズムと少なくとも一つの拡散板を含むことを特徴とする請求項１記載の液晶ディスプレイ。
【請求項４】
前記真空層が拡散板と光源との間に設けられることを特徴とする請求項３記載の液晶ディスプレイ。
【請求項５】
前記真空層が液晶表示パネルと拡散板との間に設けられることを特徴とする請求項３記載の液晶ディスプレイ。
【請求項６】
前記透明材質はガラスと、アクリルと、ポリカーボネートとを含むことを特徴とする請求項２記載の液晶ディスプレイ。
【請求項７】
前記上パネルがプリズムとされることを特徴とする請求項２記載の液晶ディスプレイ。
【請求項８】
前記下パネルが拡散板とされることを特徴とする請求項２記載の液晶ディスプレイ。
【請求項９】
前記上パネルが拡散板とされることを特徴とする請求項２記載の液晶ディスプレイ。
【請求項１０】
前記下パネルがプリズムとされることを特徴とする請求項２記載の液晶ディスプレイ。
【請求項１１】
前記光源の下方において更に反射板と放熱膜とが設けられることを特徴とする請求項１記載の液晶ディスプレイ。
【請求項１２】
前記光源を形成する発光デバイスは冷陰極蛍光ランプと、熱陰極蛍光ランプと、外部電極の冷陰極蛍光ランプと冷陰極フラット蛍光ランプの群から選ばれることを特徴とする請求項１記載の液晶ディスプレイ。
【発明の詳細な説明】
【０００１】
【発明の属する技術分野】
この発明は液晶ディスプレイに関し、特に光源が発生する熱を隔離する真空層を持つ液晶ディスプレイに関する。
【０００２】
【従来の技術】
液晶ディスプレイの価格の引き下げと品質の向上により、液晶ディスプレイは既にノートブック型コンピューター、パーソナルデジタルアシスタント、携帯電話、時計、テレビジョン、デジタルビデオカメラ、デジタルカメラなどの電気製品に応用される。一般に、液晶ディスプレイは表示パネルとバックライトユニットによって構成される。該バックライトユニットは表示パネルの下方に設けられ、光源と光学膜（ｏｐｔｉｃ  ｆｉｌｍ）を具えて一定かつ分散した光線を表示パネルに提供して、表示パネルにおける各ピクセルユニットを通して映像を表示させる。そのうち、光源が表示パネルの下方に配置される直下型バックライトは大型液晶ディスプレイ、例えばコンピューターのモニターとフラットパネルテレビジョンなどに応用される。
【０００３】
図１を参照されたい。図１は従来の液晶ディスプレイ１０の構造を表わす説明図である。液晶ディスプレイ１０は液晶表示パネル１２と液晶表示パネル１０の下方に設けられるバックライトユニット１４を具え、液晶表示パネル１２は複数のピクセルユニット（図示に示されない）を含み、バックライトユニット１４は光源１６と、光源１６と液晶表示パネル１２との間に設けられる光学膜１８と、光源１６の下方に設けられてハウジング２２に固定される反射板２０を含む。そのうち、光源１６は光線を発生して液晶表示パネル１２に送り、反射板２０は光源１６が発生した光線を上方に反射して光の使用率を高めて最適光度出力を提供する。光学膜１８は順次に拡散膜２４と、プリズム２６と、拡散板２８とを具える。そのうち拡散板２８の表面に分布される複数の突出したプリントスポット２９は光線を拡散させ、光源１６が発生した光線を液晶表示パネル１２に平均的に分散させ、拡散膜２４とプリズム２６は更に光度の差異を修正し、液晶表示パネル１２に一定した光度分布を持たせる。
【０００４】
高光度と軽量化の需要を満たすために、バックライトユニット１４における光源１６は一般に狭小かつ密閉した空間に設けられる複数の陰極管１７を具えるため、動作の過程において発生する熱は発散できず、液晶表示パネル１０の動作時間が長くなれば、陰極管１７の周辺温度が過度に上昇し、かくして液晶表示パネル１２の正常動作を妨げて表示品質の低下（例えば部分画面は光度不一致が生ずる）をもたらすのみならず、光源１６と隣り合った光学膜１８が変形して使用寿命を縮めるおそれがある。特に液晶ディスプレイ１０が広視角技術とあいまってテレビジョン製品に応用される場合、広視角技術が液晶表示パネル１２の透過率を引き下げるため、製品の光度を維持するためには、現在の方法は光源１６の陰極管１７の数量を増やすか陰極管１７の電流を増強する。しかしかかる方法は光源１６の発熱量を増加させ、よってバックライトユニット１４の放熱不良が深刻になる。
【０００５】
【発明が解決しようとする課題】
この発明は前述の問題を解決するため、バックライトユニットに設けられて、光源が発生すれる熱を隔離する真空層がある液晶ディスプレイを提供することを課題とする。
【０００６】
【課題を解決するための手段】
この発明の好ましい実施例において、液晶ディスプレイはバックライトユニットと液晶表示パネルとを具える。該バックライトユニットは光源の上方に設けられる光学膜を具え、該光学膜は少なくとも一つの真空層を具える。液晶表示パネルは光学膜の上方に設けられて複数のピクセルユニットを有する。そのうち真空層は光源が発生する熱を隔離する。
【０００７】
この発明による液晶表示パネルは液晶表示パネルと光源との間に真空層を設け、該真空層は透明材質により構成され、透明材質の内部にある気体は真空技術により吸出し、よって真空層は熱対流を減少することによって光源が発生する熱を隔離し、同時に光線が真空を透過できる特性を持つため、バックライトユニットの光学特性には影響しない。従来の液晶ディスプレイと比べ、この発明による液晶ディスプレイはバックライトの放熱不良を有効に改善でき、光源が発生する熱が光学膜と液晶表示パネルに送られるのを防ぎ、品質を向上させて使用寿命を延長する。
かかる液晶ディスプレイの特徴を詳述するために、具体的な実施例を挙げ、図を参照して以下に説明する。
【０００８】
【発明の実施の形態】
（第１の実施例）
図２を参照されたい。図２はこの発明の第１の実施例による液晶ディスプレイ５０の構造を表わす説明図である。図２によれば、液晶ディスプレイ５０はバックライトユニット５２と液晶表示パネル５４を具える。バックライトユニット５２は光源５６の上方に設けられる光学膜５８を具え、そのうち光源５６を構成する発光デバイスは冷陰極蛍光ランプ、熱陰極蛍光ランプ、外部電極の冷陰極蛍光ランプまたは冷陰極フラット蛍光ランプなどが使用可能である。液晶表示パネル５４は複数のピクセルユニット（図示に示されない）を具え、光学膜５８の上方に設けられる。なお、光源５６の下方には反射板５７が設けられ、光源５６が発生する光線を上方に反射して液晶表示パネル５４に最適光度出力を提供する。
【０００９】
この発明の第１の実施例では、光学膜５８は拡散膜６０と、プリズム６２と、拡散板６４と、真空層６６とを具える。そのうち拡散膜６０と、プリズム６２と、拡散板６４とは光源５６が発生する光線を液晶表示パネル５４に平均的に分散させ、液晶表示パネル５４に一定した光度分布を持たせ、デザインの要求に応じて増加してもよい。真空層６６はガラス、アクリルまたはポリカーボネートなどの透明材質により構成される上パネル６５と下パネル６７とを具える。上パネル６５と下パネル６７との間は真空状態であり、よって真空層６６は熱対流を減少するので、光源５６が発生する熱を隔離し、熱が光学膜５８と液晶表示パネル５４に送られて光学膜５８が変形するか液晶表示パネル５４の正常動作に影響を及ぼすのを防ぐ。液晶ディスプレイ５０は真空層６６を拡散板６４と光源５６との間に設ける以外、真空層６６と拡散板６４を統合して製造するのもよい。即ち真空層６６の上パネル６５または下パネル６７が拡散板６４に取って代わることである。なお、バックライトユニット５２の放熱能力を強めるため、光源５６の下方に放熱膜（図示に示されない）を設けてもよい。
【００１０】
（第２の実施例）
図３を参照されたい。図３はこの発明の第２の実施例による液晶ディスプレイ１００の構造を表わす説明図である。図３によれば、液晶ディスプレイ１００はバックライトユニット１０２と液晶表示パネル１０４を具える。バックライトユニット１０２は光源１０６の上方に設けられる光学膜１０８を具え、そのうち光源１０６を構成する発光デバイスは冷陰極蛍光ランプ、熱陰極蛍光ランプ、外部電極の冷陰極蛍光ランプまたは冷陰極フラット蛍光ランプなどが使用可能である。液晶表示パネル１０４は複数のピクセルユニット（図示に示されない）を具え、光学膜１０８の上方に設けられる。なお、光源１０６の下方には反射板１０７が設けられ、光源１０６が発生する光線を上方に反射して液晶表示パネル１０４に最適光度出力を提供する。
【００１１】
この発明の第２の実施例では、光学膜１０８は真空層１１０と、拡散膜１１２と、プリズム１１４と、拡散板１１６とを具える。そのうち拡散膜１１２と、プリズム１１４と、拡散板１１６とは光源１０６が発生する光線を液晶表示パネル１０４に平均的に分散させ、液晶表示パネル１０４に一定した光度分布を持たせ、デザインの要求に応じて増加してもよい。真空層１１０はガラス、アクリルまたはポリカーボネートなどの透明材質により構成される上パネル１０９と下パネル１１１とを具える。上パネル１０９と下パネル１１１との間は真空状態であり、よって真空層１１０は熱対流を減少するので光源１０６が発生する熱を隔離し、熱が液晶表示パネル１０４に送られてその正常動作に影響を及ぼすのを防ぐ。液晶ディスプレイ１００は真空層１１０を液晶表示パネル１０４と拡散板１１２との間に設ける以外、真空層１１０と液晶表示パネル１０４とを統合して製造するのもよい。即ち真空層１１０液晶表示パネル１０４の下表面に形成する。なお、バックライトユニット１０２の放熱能力を強めるため、光源１０６の下方に放熱膜（図示に示されない）を設けてもよい。
【００１２】
（第３の実施例）
図４を参照されたい。図４はこの発明の第３の実施例による液晶ディスプレイ１５０の構造を表わす説明図である。図４によれば、液晶ディスプレイ１５０はバックライトユニット１５２と液晶表示パネル１５４を具える。バックライトユニット１５２は光源１５６の上方に設けられる光学膜１５８を具え、そのうち光源１５６を構成する発光デバイスは冷陰極蛍光ランプ、熱陰極蛍光ランプ、外部電極の冷陰極蛍光ランプまたは冷陰極フラット蛍光ランプなどが使用可能である。液晶表示パネル１５４は複数のピクセルユニット（図示に示されない）を具え、光学膜１５８の上方に設けられる。なお、光源１５６の下方には反射板１５７が設けられ、光源１５６が発生すれる光線を上方に反射して液晶表示パネル１５４に最適光度出力を提供する。
【００１３】
この発明の第３の実施例では、光学膜１５８は真空層１６０であり、真空層１６０はガラス、アクリルまたはポリカーボネートなどの透明材質により構成される上パネル１５９と下パネル１６１とを具える。上パネル１５９と下パネル１６１との間は真空状態であり、よって真空層１６０は熱対流を減少するので光源１５６が発生する熱を隔離し、熱が液晶表示パネル１５４に送られてその正常動作に影響を及ぼすのを防ぐ。なお、真空層１６０の上パネル１５９は拡散板とされ、真空層１６０の下パネル１６１はプリズムとされる。もっともデザインの要求に応じて真空層１６０の上パネル１５９をプリズムとして、真空層１６０の下パネル１６１は拡散板としてもよい。言い換えれば、真空層１６０は拡散板とプリズムの機能を統合することによって、光源１５６が発生する光線を液晶表示パネル１５４に平均的に分散させ、液晶表示パネル１５４に一定した光度分布を持たせる。なお、バックライトユニット１５２の放熱能力を強めるため、光源１５６の下方に放熱膜（図示に示されない）を設けてもよい。
【００１４】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【００１５】
【発明の効果】
この発明による液晶ディスプレイは液晶表示パネルと光源との間に透明材質により構成されて内部気体が真空技術により吸い出された真空層を設けることによって、熱対流を減少して光源が発生する熱を隔離する。更に光線が真空を透過する特性を持つため、バックライトユニットの光学特性には影響しない。従来の液晶ディスプレイと比べ、この発明による液晶ディスプレイはバックライトユニットの放熱不良を有効に改善することによって、品質を高めて製品の使用寿命を延長する。
【図面の簡単な説明】
【図１】従来の液晶ディスプレイの構造を表わす説明図である。
【図２】この発明の第１の実施例による液晶ディスプレイの構造を表わす説明図である。
【図３】この発明の第２の実施例による液晶ディスプレイの構造を表わす説明図である
【図４】この発明の第３の実施例による液晶ディスプレイの構造を表わす説明図である。
【符号の説明】
１０        液晶ディスプレイ
１２        液晶表示パネル
１４        バックライトユニット
１６        光源
１７        陰極管
１８        光学膜
２０        反射板
２２        ハウジング
２４        拡散膜
２６        プリズム
２８        拡散板
２９        プリントスポット
５０、１００、１５０    液晶ディスプレイ
５２、１０２、１５２    バックライトユニット
５４、１０４、１５４    液晶表示パネル
５６、１０６、１５６    光源
５７、１０７、１５７    冷陰極管
５８、１０８、１５８    光学膜
６０、１１２      拡散膜
６２、１１４      プリズム
６４、１１６      拡散板
６６、１１０、１６０    真空層
６５、１０９、１５９    上パネル
６７、１１１、１６１    下パネル
【図１】
2004252397.tif 000003
【図２】
2004252397.tif 000004
【図３】
2004252397.tif 000005
【図４】
2004252397.tif 000006